(57)【要約】【課題】ＵＳＢインタフェース識別装置の提供。【解決手段】コンピュータ外部の一側にＵＳＢ連接インタフェースが設置され、外界の電子装置との連接に供され、ＵＳＢ連接インタフェースと電子装置の間に判断回路が設けられ、且つ判断回路中に表示装置が連接され、該表示装置の提供する情報を利用し、使用者がコンピュータと電子装置の間の伝送が、低速、全速、高速のいずれの速度でなされているかを判断するのに供される。【選択図】　　　　図１
0003099059.tif 000002
【実用新案登録請求の範囲】
【請求項１】
ＵＳＢインタフェース識別装置において、
一側にＵＳＢ連接インタフェースが設置されたコンピュータと、
一端がコンピュータのＵＳＢ連接インタフェースに連接されるケーブルと、
ケーブルの別端内部に設けられ、該ケーブルに設けられた表示装置に連接された判断回路と、
を具え、該判断回路がＵＳＢの伝送信号（Ｄ＋、Ｄ−）の振幅変化により伝送速度を判断し、並びに判断結果を表示装置に出力して表示させることを特徴とする、ＵＳＢインタフェース識別装置。
【請求項２】
ＵＳＢインタフェース識別装置において、
一側にＵＳＢ連接インタフェースが設置されたコンピュータと、
コンピュータ連接端がコンピュータのＵＳＢ連接インタフェースに連接されるハブと、
ハブの内部に設けられ、該ハブの表面に設置された表示装置に連接された判断回路と、
を具え、該判断回路がＵＳＢの伝送信号（Ｄ＋、Ｄ−）の振幅変化により伝送速度を判断し、並びに判断結果を表示装置に出力して表示させることを特徴とする、ＵＳＢインタフェース識別装置。
【請求項３】
ＵＳＢインタフェース識別装置の判断回路において、
ＵＳＢの二つの伝送信号Ｄ＋とＤ−の各状態を以てＵＳＢ伝送の速度に対応させる信号読み取り装置と、
二つの伝送信号Ｄ＋とＤ−の電圧レベルにより既に連接装置に連接されているかを判断し、及び、ＵＳＢのバージョンインタフェースを判断する比較器と、
信号読み取り装置と比較器の出力状態により、表示装置を駆動する駆動装置と、
を具えたことを特徴とする、ＵＳＢインタフェース識別装置の判断回路。
【考案の詳細な説明】
【０００１】
【考案の属する技術分野】
本考案は一種のＵＳＢインタフェース識別装置に係り、特に、ＵＳＢ連接インタフェースと電子装置の間に判断回路が設けられ、且つ判断回路中に表示装置が連接され、該表示装置の提供する情報を利用して使用者がコンピュータと電子装置の間の伝送が、低速、全速、高速のいずれの速度でなされているかを判断するのに供される、ＵＳＢインタフェース識別装置に関する。
【０００２】
【従来の技術】
従来より、コンピュータに周辺機器を外接するためのインタフェースとして、ＲＳ２３２、ＰＳ２のインタフェースが多く使用されている。コンピュータの処理速度の増加に伴い、前述のコンピュータ周辺機器を連接する時、コンピュータ周辺機器の機能がコンピュータの処理速度に符合せず、全体の処理速度に影響が生じることがある。このため業界ではコンピュータの全体機能を向上させる要求を満たすべく、新たな伝送インタフェースの開発が進められ、新世代のコンピュータ伝送インタフェースが誕生し、有線伝送インタフェースとして、ＵＳＢ、及びＩＥＥＥ１３９４のインタフェースがあり、そのうち、最も早期のＵＳＢの１．０バージョンインタフェースの伝送速度は１．５Ｍｂｐｓであったが、ＵＳＢ１．１バージョンインタフェースの最高伝送速度１２Ｍｂｐｓへと進化し、さらにはＵＳＢ２．２バージョンインタフェースの４８０Ｍｂｐｓまで高められ、これはその前のバージョンの伝送速度の４０倍であり、これによりＵＳＢは新世代のコンピュータの主流な伝送インタフェースの基礎となっている。しかし、新旧のＵＳＢインタフェースの交替の過程で、使用者は利用するコンピュータがどのＵＳＢインタフェースを使用しているかを判断しにくい。
【０００３】
【考案が解決しようとする課題】
本考案は一種の、ＵＳＢの新旧バージョンを判断できる装置を提供することを目的とし、それは、簡単な表示装置により使用者に簡単に識別させ、有効にＵＳＢ規格と使用状態を掌握させることができるようにするものとする。
【０００４】
【課題を解決するための手段】
請求項１の考案は、ＵＳＢインタフェース識別装置において、
一側にＵＳＢ連接インタフェースが設置されたコンピュータと、
一端がコンピュータのＵＳＢ連接インタフェースに連接されるケーブルと、
ケーブルの別端内部に設けられ、該ケーブルに設けられた表示装置に連接された判断回路と、
を具え、該判断回路がＵＳＢの伝送信号（Ｄ＋、Ｄ−）の振幅変化により伝送速度を判断し、並びに判断結果を表示装置に出力して表示させることを特徴とする、ＵＳＢインタフェース識別装置としている。
請求項２の考案は、ＵＳＢインタフェース識別装置において、
一側にＵＳＢ連接インタフェースが設置されたコンピュータと、
コンピュータ連接端がコンピュータのＵＳＢ連接インタフェースに連接されるハブと、
ハブの内部に設けられ、該ハブの表面に設置された表示装置に連接された判断回路と、
を具え、該判断回路がＵＳＢの伝送信号（Ｄ＋、Ｄ−）の振幅変化により伝送速度を判断し、並びに判断結果を表示装置に出力して表示させることを特徴とする、ＵＳＢインタフェース識別装置としている。
請求項３の考案は、ＵＳＢインタフェース識別装置の判断回路において、
ＵＳＢの二つの伝送信号Ｄ＋とＤ−の各状態を以てＵＳＢ伝送の速度に対応させる信号読み取り装置と、
二つの伝送信号Ｄ＋とＤ−の電圧レベルにより既に連接装置に連接されているかを判断し、及び、ＵＳＢのバージョンインタフェースを判断する比較器と、
信号読み取り装置と比較器の出力状態により、表示装置を駆動する駆動装置と、
を具えたことを特徴とする、ＵＳＢインタフェース識別装置の判断回路としている。
【０００５】
【考案の実施の形態】
本考案は一種のＵＳＢインタフェース識別装置を提供し、それは、コンピュータ外部の一側にＵＳＢ連接インタフェースが設置されて、外界の電子装置との連接に供され、ＵＳＢ連接インタフェースと電子装置の間に判断回路が設けられ、且つ判断回路中に表示装置が連接され、該表示装置の提供する情報を利用し、使用者がコンピュータと電子装置の間の伝送が、低速、全速、高速のいずれの速度でなされているかを判断するのに供される。
【０００６】
好ましくは、該判断回路はＵＳＢで伝送される信号（Ｄ＋、Ｄ−）の振幅変化を利用して伝送速度を判断し、並びにこの判断結果を表示装置に出力して表示させるものとされる。
【０００７】
【実施例】
図１は本考案のＵＳＢ連接インタフェースの機能ブロック連接表示図である。そのうち、コンピュータ１外部の一側にＵＳＢ（Ｕｎｉｖｅｒｓａｌ　Ｓｅｒｉａｌ　Ｂｕｓ）連接インタフェース１１が設置され、該ＵＳＢ連接インタフェース１１は二つから四つ設けられて外界の電子装置３との連接に供される。本考案では特にＵＳＢ連接インタフェース１１と電子装置３の間に判断回路２が設けられ、且つ該判断回路２中にさらに表示装置２１が連接され、該表示装置２１の提供する情報により使用者がコンピュータ１と電子装置３の間がどの種類の速度で伝送を行なっているかを判断するのに供される。該ＵＳＢの信号（Ｄ＋、Ｄ−）の速度が高速である時、その振幅は低い振幅に変わり、ＵＳＢの信号（Ｄ＋、Ｄ−）の速度が低速であれば、その振幅は高い振幅に変わり、この原理を利用し、我々は簡単なロジック回路により該ＵＳＢ信号の振幅を検出し、ＵＳＢ伝送速度を簡単に、低速（ＬＯＷ−ＳＰＥＥＤ）、全速（ＦＵＬＬ−ＳＰＥＥＤ）、高速（ＨＩ−ＳＰＥＥＤ）の三種類の速度に分ける。そのうち、低速はＵＳＢの１．０バージョンインタフェースに使用され、全速の範囲の値は１２Ｍｂｐｓの範囲とされ、高速はＵＳＢ２．０バージョンインタフェースに応用され、その高速はこのインタフェースに応用され、例えば伝送速度が４８０Ｍｂｐｓ程度のものはいずれも本考案の応用範囲とされる。
【０００８】
図２は本考案のＵＳＢの信号（Ｄ＋、Ｄ−）とＵＳＢ伝送速度の関係図であり、図１に提示された判断回路２でＵＳＢ振幅を判断する方式は、以下の三種類の状態に分けられる。
（１）ＵＳＢ伝送速度が低速（ＬＯＷ−ＳＰＥＥＤ）の時、そのＤ＋信号はローレベルの状態で、且つそのＤ−信号はハイレベルの状態とされる。
（２）ＵＳＢ伝送速度が全速（ＦＵＬＬ−ＳＰＥＥＤ）の時、そのＤ＋信号はハイレベルの状態で、且つそのＤ−信号はローレベルの状態とされる。
（３）ＵＳＢ伝送速度が高速（ＨＩ−ＳＰＥＥＤ）の時、そのＤ＋信号はｒｏｘベルの状態で、且つそのＤ−信号もローレベルの状態とされる。
【０００９】
上述の三種類の判断方式は、判断回路２内部のロジック回路によりＤ＋と　Ｄ−の各状態を判断することで、三種類の異なるロジック状態を得ることにより達成され、並びに各図に示される表示装置により表示する。
【００１０】
本考案の技術手段を更に明確とするため、図１に提示された判断回路２の細部構造について説明を行なう。図３に示されるのは実施構造であり、本考案の属する技術の分野における通常の知識を有する者であれば、駆動プログラムによっても同じ機能を達成することができ、機能が図１の機能ブロックに記載されていれば、それもまた本考案の創作精神より離脱せず、複数のパッシブ装置にロジックゲート（或いはゲート，ＯＲ　ＧＡＴＥ）が組み合わされてなり、機能ブロックにより区分すると、表示装置２１、信号読み取り装置２２、比較器２３、及び駆動装置２４を具え、各機能ブロックの詳細な説明は以下のとおりである。
信号読み取り装置２２：　図２に記載の状態図を参照されたい。ＵＳＢの二つの伝送信号Ｄ＋とＤ−の各状態とＵＳＢ伝送速度の対応関係は以下の表１のようである。
【表１】
0003099059.tif 000003
上述の信号読み取り装置の判断により、伝送信号を低速、全速、高速の三種類の状態に区分できる。
比較器２３：　二つの伝送信号Ｄ＋とＤ−の電圧レベルにより、既に電子装置に連接されているかを判断し、及び、ＵＳＢの１．０、１．１及び２．０のバージョンインタフェースを判断し、且つ以下の状態に分ける。
（ａ）電子装置に未連接の時、その電圧レベルは出力ローの状態である。
（ｂ）電子装置に既に連接されている時、伝送速度がＵＳＢの１．０のバージョンインタフェースのものであるなら、その電圧レベルは出力ハイの状態とされる。
（ｃ）電子装置に既に連接されている時、伝送速度がＵＳＢの１．１のバージョンインタフェースのものであるなら、その電圧レベルは出力ローの状態とされる。
（ｄ）電子装置に既に連接されている時、伝送速度がＵＳＢの２．０のバージョンインタフェースのものであるなら、この比較器２３による判断を経由せず、直接二つの伝送信号Ｄ＋とＤ−をノットゲートに連接し出力する。
駆動手段２４：　信号読み取り装置２２及び比較器２３の出力状態により、表示装置２１を駆動し、本実施例中では表示装置は二つの発光ダイオード（Ａ、Ｂ）とされ、使用者に容易にＵＳＢ伝送速度と使用バージョンを判読させる。
【００１１】
図４に示されるのは、本考案のＵＳＢインタフェース識別装置がＵＳＢケーブルに取り付けられた第１実施例である。そのうち、判断回路はＵＳＢケーブル４中に取り付けられ、該ＵＳＢケーブル４の二端はそれぞれコンピュータ連接端４４と電子装置連接端４５とされ、使用者が判読しやすいように、判断回路４１及びアラームランプ４２が使用者に近い電子装置連接端４５に設置され、該アラームランプ４２は発光ダイオード（ＬＥＤ）で組成され、並びに三種類の異なる色で区分を行なう（例えば、赤が高速を、オレンジが全速を、緑が低速を代表する）。このアラームランプ４２が判断回路４１の伝送した信号を受け取り、異なる伝送速度を判定し、簡単容易に識別できる機能を達成する。
【００１２】
図５は本考案のＵＳＢインタフェース識別装置がＵＳＢケーブルに取り付けられた第２実施例を示し、そのうち、判断回路はＵＳＢケーブル４中に取り付けられ、並びに液晶ディスプレイ（ＬＣＤ）で構成された表示スクリーン４３に連接され、数字或いは文字の形態で判断回路の判断した伝送速度を表示し、例えば、伝送速度が低速のとき、表示スクリーン４３は１或いは低速のイメージを表示し、伝送速度が全速のとき、表示スクリーン４３は２或いは全速のイメージを表示し、伝送速度が低速のとき、表示スクリーン４３は３或いは高速のイメージを表示する。この実施例もまた簡単容易な識別の機能を達成する。
【００１３】
図６、７は本考案のＵＳＢインタフェース識別装置がハブに取り付けられた第１、第２実施例図である。本実施例の創作精神は、ＵＳＢの電子装置を利用してＵＳＢインタフェース識別を実施することから逸脱しない。ＵＳＢハブ５中には判断回路５１、アラームランプ５２、ＵＳＢ連接ポート５４及びコンピュータ連接端５５が設けられ、図６に示されるように、ＵＳＢハブ５の表面に液晶ディスプレイ（ＬＣＤ）で組成された表示スクリーン５３が設けられ、使用者にコンピュータとＵＳＢハブ５がどの速度で伝送するかを告知し、使用者に随時ＵＳＢ電子装置の使用状態を掌握させる。
【００１４】
【考案の効果】
総合すると、本考案の構造の特徴及び各実施例はいずれも詳細に提示され、十分に本考案が目的と機能のいずれにおいても実施の進歩性と産業上の利用価値を有することが示された。また本考案は市場において運用されておらず、完全に実用新案登録の要件を具備している。
【００１５】
なお、以上の実施例は本考案の実施範囲を限定するものではなく、本考案に基づきなしうる細部の修飾或いは改変は、いずれも本考案の請求範囲に属するものとする。
【図面の簡単な説明】
【図１】本考案のＵＳＢ連接インタフェースの機能ブロック連接表示図である。
【図２】本考案のＵＳＢの信号（Ｄ＋、Ｄ−）とＵＳＢ伝送速度の関係図である。
【図３】本考案の判断回路の実施例図である。
【図４】本考案のＵＳＢインタフェース識別装置をケーブルに取り付けた第１実施例図である。
【図５】本考案のＵＳＢインタフェース識別装置をケーブルに取り付けた第２実施例図である。
【図６】本考案のＵＳＢインタフェース識別装置をハブに取り付けた第１実施例図である。
【図７】本考案のＵＳＢインタフェース識別装置をハブに取り付けた第２実施例図である。
【符号の説明】
１　コンピュータ
１１　ＵＳＢ連接インタフェース
２　判断回路
２１　表示装置
２２　信号読み取り装置
２３　比較器
２４　駆動装置
３　電子装置
４　ＵＳＢケーブル
４１　判断回路
４２　アラームランプ
４３　表示スクリーン
４４　コンピュータ連接端
４５　電子装置連接端
５　ＵＳＢハブ
５１　判断回路
５２　アラームランプ
５３　表示スクリーン
５４　ＵＳＢ連接ポート
５５　コンピュータ連接端
【図１】
0003099059.tif 000004
【図２】
0003099059.tif 000005
【図３】
0003099059.tif 000006
【図４】
0003099059.tif 000007
【図５】
0003099059.tif 000008
【図６】
0003099059.tif 000009
【図７】
0003099059.tif 000010
【手続補正書】
【提出日】平成15年9月22日(2003.9.22)
【手続補正１】
【補正対象書類名】明細書
【補正対象項目名】実用新案登録請求の範囲
【補正方法】変更
【補正の内容】
【実用新案登録請求の範囲】
【請求項１】
ＵＳＢインタフェース識別装置において、
一側にＵＳＢ連接インタフェースが設置されたコンピュータと、
一端がコンピュータのＵＳＢ連接インタフェースに連接されるケーブルと、
ケーブルの別端内部に設けられ、該ケーブルに設けられた表示装置に連接された判断回路と、
を具え、該判断回路がＵＳＢの伝送信号（Ｄ＋、Ｄ−）の振幅変化により伝送速度を判断し、並びに判断結果を表示装置に出力して表示させることを特徴とする、ＵＳＢインタフェース識別装置。
【請求項２】
ＵＳＢインタフェース識別装置において、
一側にＵＳＢ連接インタフェースが設置されたコンピュータと、
コンピュータ連接端がコンピュータのＵＳＢ連接インタフェースに連接されるハブと、
ハブの内部に設けられ、該ハブの表面に設置された表示装置に連接された判断回路と、
を具え、該判断回路がＵＳＢの伝送信号（Ｄ＋、Ｄ−）の振幅変化により伝送速度を判断し、並びに判断結果を表示装置に出力して表示させることを特徴とする、ＵＳＢインタフェース識別装置。
【手続補正２】
【補正対象書類名】明細書
【補正対象項目名】０００４
【補正方法】変更
【補正の内容】
【０００４】
【課題を解決するための手段】
請求項１の考案は、ＵＳＢインタフェース識別装置において、
一側にＵＳＢ連接インタフェースが設置されたコンピュータと、
一端がコンピュータのＵＳＢ連接インタフェースに連接されるケーブルと、
ケーブルの別端内部に設けられ、該ケーブルに設けられた表示装置に連接された判断回路と、
を具え、該判断回路がＵＳＢの伝送信号（Ｄ＋、Ｄ−）の振幅変化により伝送速度を判断し、並びに判断結果を表示装置に出力して表示させることを特徴とする、ＵＳＢインタフェース識別装置としている。
請求項２の考案は、ＵＳＢインタフェース識別装置において、
一側にＵＳＢ連接インタフェースが設置されたコンピュータと、
コンピュータ連接端がコンピュータのＵＳＢ連接インタフェースに連接されるハブと、
ハブの内部に設けられ、該ハブの表面に設置された表示装置に連接された判断回路と、
を具え、該判断回路がＵＳＢの伝送信号（Ｄ＋、Ｄ−）の振幅変化により伝送速度を判断し、並びに判断結果を表示装置に出力して表示させることを特徴とする、ＵＳＢインタフェース識別装置としている。